(57)【要約】      （修正有）【課題】操作モードを保持可能なエアゾール式製品の内容物噴射操作機構において、操作ボタンと当該ボタンを保護するカバー体とを一体成形にして、組立前の保管や組立作業を容易にした、該機構を提供する。【解決手段】操作ボタン４と、当該ボタンを保護するカバー体５とを、上下方向への移動および周方向への回動がそれぞれ可能な形で支持する弾性部材のゲートバネ６を介して一体成形とした。容器本体１側のマウンティングキャップ２とステム３への取り付けの前に、操作ボタン４とカバー体５とを組み合わせる作業が不要である。また、組み付けるまでは、操作ボタン４とカバー体５との位置関係を弾性部材のゲートバネ６が一定に保つので、ステム３へ操作ボタン４を安定して嵌合させるために操作ボタン４とカバー体５とを一時的に固定する必要もない。【選択図】図１
2010208688.tif 000002
【特許請求の範囲】
【請求項１】
エアゾール式製品を作動モードに設定する際に用いられる上面操作部を備えた操作ボタンと、
内容物噴射用空間域としての前切欠状部，作動モード設定操作用空間域としての後切欠状部および操作ボタン保護用の側面部分を有して、常に容器本体側に取り付けられたまま使用されるカバー体と、
前記操作ボタンを、前記カバー体に、上下方向への移動および周方向への回動がそれぞれ可能な形で支持する弾性部材と、からなり、
前記操作ボタン，前記カバー体および前記弾性部材が一体成形されている、
ことを特徴とする内容物噴射操作機構。
【請求項２】
前記操作ボタンは、
前記上面操作部に加えて、作動不能モードおよび連続作動モードを選択的に設定するための回動操作部を、前記後切欠状部に対応した側面部分に備えている、
ことを特徴とする請求項１記載の内容物噴射操作機構。
【請求項３】
前記操作ボタンは、
作動不能モード設定用の第１の被設定部と、
連続作動モード設定用の第２の被設定部と、
を備え、
前記カバー体は、
前記第１の被設定部と協働して、
静止モード位置の前記操作ボタンが前記回動操作部の操作により第１の方向に回動した状態での、当該操作ボタンの下方向への移動を阻止する、作動不能モード設定部と、
前記第２の被設定部と協働して、
静止モード位置の前記操作ボタンがその下方向への押圧操作に続く前記回動操作部の操作により作動モード対応位置から前記第１の方向とは逆の第２の方向へ回動した状態での、当該操作ボタンの上方向への復帰動作を阻止する、連続作動モード設定部と、
を備えたものである、
ことを特徴とする請求項２記載の内容物噴射操作機構。
【請求項４】
請求項１乃至請求項３のいずれかに記載の内容物噴射操作機構を備え、かつ、噴射用ガスおよび内容物を収納した、
ことを特徴とするエアゾール式製品。
【発明の詳細な説明】
【技術分野】
【０００１】
本発明は、エアゾール式製品の内容物噴射操作機構に関し、特に作動モード設定用の上面操作部を備えた操作ボタンが、操作ボタン保護用で容器本体に常時装着のカバー体（ワンタッチキャップ）に、弾性部材を介して、上下方向へ移動するとともに周方向へも回動するように支持され、かつ、操作ボタン，カバー体および弾性部材のそれぞれが全体として一体成形された内容物噴射操作機構に関する。
【０００２】
また、この一体成形された操作ボタンを、作動モード設定用の押下げ操作のみならず回動操作も可能な形のものにしている。これにより、通常の作動モードの設定に加えて、静止モードからの押下げ操作およびこれに続く回動操作に基づく連続作動モード（ガス抜き状態，内容物連続噴射状態）と、静止モードからの回動操作のみに基づく作動不能モードとを選択的に設定できる。
【０００３】
本明細書では、
・「静止モード」の語を、エアゾール容器のバルブが閉じて容器内部と外部空間とが連通していない初期状態を示す意で用い、
・「作動モード」の語を、操作ボタンに対する噴射操作といわば１対１の対応関係にたつ内容物などの噴射状態（エアゾール容器のバルブが開いて容器内部側と外部空間とが連通した状態）を示す意で用い、
・「連続作動モード」の語を、操作ボタンが作動モード対応位置に強制的に保持されたままとなって、ガス，内容物などが継続して噴射される連続噴射状態を示す意で用い、
・「作動不能モード」の語を、操作ボタンが静止モード位置にロックされたままで押し下げられない状態、すなわちエアゾール容器をその作動モードや連続作動モードに設定することができない状態を示す意で用い、
・「作動モード対応位置」の語を、利用者などが操作ボタンを操作した作動モードのときと略同じ位置（＝作動モードにおける操作ボタンの停止位置のように利用者の操作の程度の違いに基づくばらつきが観念されにくい位置）を示す意で用い、
・「カバー体」の語を、エアゾール容器本体側（マウンティングキャップなど）に、作動モード，連続作動モードのときも含めて常時取り付けられるタイプの操作ボタン保護部材を示す意で用いる。
【０００４】
また、前後上下の位置関係を、操作ボタンの内容物噴射側を「前」、それとは反対の例えば後述の回動操作部側を「後」とそれぞれ記し、操作ボタン側を「上」、それとは反対の容器本体側を「下」とそれぞれ記す。
【０００５】
なお、エアゾール式製品の連続作動モードが設定された場合、容器内容物をまだ使い切っていないときは内容物連続噴射状態となり、容器内容物を略使い切っているときはガス抜き状態となる。
【０００６】
内容物連続噴射状態とガス抜き状態とはもっぱら用途上の違いにすぎず、エアゾール式製品の動作機構としては、これら各状態はともにアクチュエータ（操作ボタン，ステムなど）がその作動位置に継続的に保持されているものである。すなわち当該各状態のバルブ機構などの動作メカニズムの違いはない。
【背景技術】
【０００７】
従来、押下げヘッド（操作ボタン）をその囲成筒（カバー体）に対する回動操作部としても作用させることにより、エアゾール式製品の連続作動モードおよび作動不能モードを選択的に設定するエアゾール式液体噴出容器が提案されている（特許文献１参照）。
【０００８】
ここで、押下げヘッドには係合板〔16〕が形成され、当該押下げヘッドと別部材の囲成筒には当該係合板に対応した形状の透孔〔26〕やストッパ〔27〕が形成されている。
【０００９】
そして、製品組立の際、係合板〔16〕が透孔〔26〕に入り込む形の所定の位置関係で、押下げヘッドはステムに取り付けられ、囲成筒は容器本体（マウンティングキャップのアンダーカット部分）に嵌合状態で取り付けられる。
【先行技術文献】
【特許文献】
【００１０】
【特許文献１】特開２００２−２８２７４６号公報
【発明の概要】
【発明が解決しようとする課題】
【００１１】
以上の、エアゾール式製品の内容物噴射操作機構は、その構成要素である操作ボタンとカバー体とが一体化されずに個々の部材となっているので、当該部材それぞれの組立前の保管や組立作業が煩雑化するという問題点を有していた。
【００１２】
そこで本発明では、操作ボタンとそのカバー体とを、弾性部材を介して、当該操作ボタンが上下動かつ回動可能な態様で一体成形して、これらの操作ボタン，カバー体および弾性部材の各構成要素をいわば単一ユニットとして効率的に保管するとともに、当該各構成要素を容器本体やステムへ取り付ける際の作業の簡単化を図ることを目的とする。
【課題を解決するための手段】
【００１３】
本発明は、以上の課題を次の内容物噴射操作機構を用いることにより解決する。
〔１〕エアゾール式製品を作動モードに設定する際に用いられる上面操作部（例えば後述の天面部分４ｃ）を備えた操作ボタン（例えば後述の操作ボタン４）と、
内容物噴射用空間域としての前切欠状部（例えば後述の前テラス状部分５ｂ），作動モード設定操作用空間域としての後切欠状部（例えば後述の後テラス状部分５ｄ）および操作ボタン保護用の側面部分（例えば後述の起立部５ｅ）を有して、常に容器本体側に取り付けられたまま使用されるカバー体（例えば後述のカバー体５）と、
前記操作ボタンを、前記カバー体に、上下方向への移動および周方向への回動がそれぞれ可能な形で支持する弾性部材（例えば後述のゲートバネ６）と、からなり、
前記操作ボタン，前記カバー体および前記弾性部材が一体成形されている、
ことを特徴とする内容物噴射操作機構
〔２〕上記〔１〕において、
前記操作ボタンは、
前記上面操作部に加えて、作動不能モードおよび連続作動モードを選択的に設定するための回動操作部（例えば後述のリブ状片部４ｄ）を、前記後切欠状部に対応した側面部分に備えている、
ことを特徴とする内容物噴射操作機構
〔３〕上記〔２〕において、
前記操作ボタンは、
作動不能モード設定用の第１の被設定部（例えば後述の前被係止部４ｅの凸状部分４ｆ，後被係止部４ｇの凸状部分４ｈ）と、
連続作動モード設定用の第２の被設定部（例えば後述の前被係止部４ｅの上面部分，後被係止部４ｇの上面部分）と、
を備え、
前記カバー体は、
前記第１の被設定部と協働して、
静止モード位置の前記操作ボタンが前記回動操作部の操作により第１の方向に回動した状態での、当該操作ボタンの下方向への移動を阻止する、作動不能モード設定部（例えば後述の上面前係止部５ｆ，係止作用部分５ｈ）と、
前記第２の被設定部と協働して、
静止モード位置の前記操作ボタンがその下方向への押圧操作に続く前記回動操作部の操作により作動モード対応位置から前記第１の方向とは逆の第２の方向へ回動した状態での、当該操作ボタンの上方向への復帰動作を阻止する、連続作動モード設定部（例えば後述の下面前係止部５ｊ，下面後係止部５ｋ）と、
を備えたものである、
ことを特徴とする内容物噴射操作機構。
【００１４】
このような構成からなる内容物噴射操作機構および、当該内容物噴射操作機構を備えて後述のガス，内容物などを収容したエアゾール式製品を本発明の対象としている。
【発明の効果】
【００１５】
本発明の内容物噴射操作機構は、その構成要素である操作ボタン，カバー体および（当該操作ボタンをカバー体に支持する）弾性部材が全体として一体成形された単一部材になっている。
【００１６】
この単一部材化により、
(11)操作ボタンおよびカバー体の各パーツをマウンティングキャップやステムに組み込むまでの当該パーツの管理対象も一つの部材ですみ、部品管理の簡単化を図ることができ、
(12)操作ボタンとカバー体との周方向の位置決め、すなわちマウンティングキャップに取り付けられたカバー体の前切欠状部に操作ボタンの内容物噴射用孔部および前被係止部を正しく合致させるための周方向の位置きめが不要となり、内容物噴射操作機構の組立作業の効率化を図ることができる。
【図面の簡単な説明】
【００１７】
【図１】内容物噴射操作機構の静止モードで、(a)は平面状態を示し、(b)は容器本体に取り付けられた当該操作機構の側面状態を示す説明図である。
【図２】図１の内容物噴射操作機構の作動不能モードで、(a)は平面状態を示し、(b)は作動不能モード設定にともなう前被係止部４ｅ（操作ボタン４）のカバー体５に対する移動の様子を示し，(c)は同じく後被係止部４ｇ（操作ボタン４）のカバー体５に対する移動の様子を示す説明図である。
【図３】図１の内容物噴射操作機構のガス抜きモード（連続作動モード）で、(a)は平面状態を示し、(b)はガス抜きモード設定にともなう前被係止部４ｅ（操作ボタン４）のカバー体５に対する移動の様子を示し，(c)は同じく後被係止部４ｇ（操作ボタン４）のカバー体５に対する移動の様子を示す説明図である。
【発明を実施するための形態】
【００１８】
図１乃至図３を用いて本発明を実施するための最良の形態を説明する。
【００１９】
上述したように、本発明は、ガス抜きや内容物連続噴射の連続作動モードと、作動不能モードとを選択的に設定できる機能を備えた内容物噴射操作機構に関するものである。
【００２０】
以下の説明では単なる説明の便宜上、必要に応じて、噴射用ガスを単に「ガス」と略記し、ガス抜き状態の連続作動モード（ガス抜きモード）の場合を前提とする。
【００２１】
なお、以下の「（噴射用）ガス」，「ガス抜き」の用語をそれぞれ「内容物」，「内容物連続噴射」に置き換えても個々の説明内容の妥当性が担保されるのは勿論である。
【００２２】
なお、以下のアルファベット付き参照番号の構成要素（例えば上下方向空間域４ａ）は原則として、当該参照番号の数字部分の構成要素（例えば操作ボタン４）の一部であることを示している。
【００２３】
図１乃至図３において、
１は後述の内容物および噴射用ガスを収納したエアゾール式製品の容器本体，
２は容器本体１の開口端部側に取り付けられたマウンティングキャップ，
２ａは当該マウンティングキャップの外端部下方に形成されて後述のカバー体５が強く係合する環状のアンダーカット部分，
３は周知のバルブ機構（図示省略）の構成要素であってコイルスプリング（図示省略）などの弾性力により上方向に付勢されるステム，
４はステム３に取り付けられて作動モード設定用の押圧操作により当該弾性力に抗する形で下動するタイプの操作ボタン，
４ａは内容物通過用の上下方向空間域，
４ｂは内容物噴射用の孔部，
４ｃは当該押圧操作の対象となる天面部分，
４ｄは操作ボタン外周面部の孔部４ｂとは反対の後側に形成された回動操作用（ガス抜きモード設定操作および作動不能モード設定操作）で縦長のリブ状片部，
４ｅは孔部４ｂの下側部分（操作ボタン外周面の下端側で後述の後被係止部４ｇとは反対側の部分）に形成された保持作動用の前被係止部，
４ｆは当該前被係止部の周方向中央に形成された凸状部分，
４ｇは当該リブ状片部の真下部分に形成された保持（ロック）作動用の後被係止部，
４ｈは当該後被係止部の周方向中央に形成された凸状部分，
５はマウンティングキャップ２のアンダーカット部分２ａに強く係合して操作ボタンの側面部分を保護するための筒状のカバー体，
５ａは操作ボタン４の孔部４ｂと対向する前部分に形成されて、内容物の噴射空間域などとして作用する前切欠部、
５ｂは当該前切欠部のいわば底面部分に相当する曲平板状の前テラス状部分，
５ｃは操作ボタン４のリブ状片部４ｄと対向する後部分に形成されて、回動操作用のリブ状片部４ｄの回動空間域などとして作用する後切欠部，
５ｄは当該後切欠部のいわば底面部分に相当する曲平板状の後テラス状部分，
５ｅは前切欠部５ａと後切欠部５ｃとの間に形成されて操作ボタン４の側面部分などを保護するための一対の起立部，
５ｆは静止モードの操作ボタン４を、押下げることなく、後述のＡ方向に回動させたとき（作動不能モード：図２参照）にその前被係止部４ｅの下面側と対向する態様で、前テラス状部分５ｂの内端側に形成された上面前係止部，
５ｇは当該作動不能モード（図２参照）において操作ボタン４の後被係止部４ｇの下面側をその回動方向に対してロックするため、後テラス状部分５ｄの内端側に形成された上面後係止部，
５ｈは当該上面後係止部の周方向中部分にその両側よりも低く形成された係止作用部分，
５ｊは静止モードの操作ボタン４を押下げてから後述のＢ方向に回動させたとき（ガス抜きモード：図３参照）にその前被係止部４ｅの上面側を受けるため、前テラス状部分５ｂの内端側に形成された下面前係止部，
５ｋは当該ガス抜きモードにおいて操作ボタン４の後被係止部４ｇの上面側を受けるため、後テラス状部分５ｄの内端側に形成された下面後係止部，
５ｍは静止モードと作動モードとの間の移行に際して、操作ボタン４の前被係止部４ｅおよび後係止部４ｇが縦方向に通過する前後一対の上下動用切欠部，
６は操作ボタン４の外周面下端側部分とカバー体５の内周面（の前テラス状部分５ｂ，後テラス状部分５ｄと略同じ高さの部分）との間に形成されて、それぞれが回動方向および上下方向に伸縮する一対の三角波状のゲートバネ，
Ａは作動不能モードを設定する場合の操作ボタン回動方向
Ｂはガス抜きモード（連続作動モード）を設定する場合の操作ボタン回動方向
をそれぞれ示している。
【００２４】
ここで、ステム３，操作ボタン４，カバー体５およびゲートバネ６などは例えばポリプロピレン，ポリエチレン，ポリアセタール，ナイロン，ポリブチレンテレフタレートなどからなるプラスチック製のものである。容器本体１やマウンティングキャップ２は例えば金属製のものである。
【００２５】
なお、操作ボタン４，カバー体５およびゲートバネ６の各構成要素は、全体として一体成形された単一部材になっている。
【００２６】
この一体成形された単一部材（操作ボタン４，カバー体５およびゲートバネ６）は、当該カバー体の下端内周面の環状突状部がアンダーカット部分２ａに強く係合する形で、マウンティングキャップ２に取り付けられている。
【００２７】
このように、操作ボタン４およびカバー体５の各パーツはゲートバネ６を介しての単一部材となっている。
【００２８】
この単一部材化により上述したように、
(21)操作ボタン４およびカバー体５の各パーツをマウンティングキャップ２やステム３に組み込むまでの当該パーツの管理対象も一つの部材ですみ、部品管理の簡単化を図ることができ、
(22)操作ボタン４とカバー体５との周方向の位置決め作業、すなわちマウンティングキャップ２に取り付けられたカバー体５の前切欠部５ａおよび上下動用切欠部５ｍに、操作ボタンの内容物噴射用孔部４ｂおよび前被係止部４ｅをそれぞれ合致させるための静止モード対応の周方向位置きめ作業、が不要となる。
【００２９】
図１の静止モードでは、カバー体５の下端側内周面突状部がマウンティングキャップ２のアンダーカット部分２ａに強く係合している。
【００３０】
このとき、
(31)一対のゲートバネ６はともに平衡状態であり、
(32)操作ボタン４の前被係止部４ｅがカバー体５の前側の上下動用切欠部５ｍの真上に位置し、
(33)操作ボタン４の後被係止部４ｇがカバー体５の後側の上下動用切欠部５ｍの真上に位置している。
【００３１】
この状態で操作ボタン４が押圧されると、当該操作ボタンおよびこれと一体のステム３が下動し、周知のステムバルブ機構（図示省略）がそれまでの閉状態から開状態に移行する。この作動モードへの移行により、容器本体１の内容物がバルブ作用部およびステム内部通路域を経て操作ボタンの孔部４ｂから外部空間域に噴射される。
【００３２】
図２は、作動不能モードの設定状態、すなわち図１の静止モードから不用意に作動モードに移行しないようにした状態である。
【００３３】
この作動不能モードの設定に際しては、利用者が、図１の静止モードの操作ボタン４を押下げることなしに、そのリブ状片部４ｄをゲートバネ６の弾性力に抗する形で図示Ａ方向に回動すればよい。
【００３４】
このリブ状片部４ｄのＡ方向への回動操作にともなって、
(41)図２(b)に示すように、操作ボタン４の前被係止部４ｅがそれまでの上下動用切欠部５ｍの真上部分からカバー体５の上面前係止部５ｆとの対向域に移動して、当該前被係止部の凸状部分４ｆが当該上面前係止部に当接し、
(42)かつ図２(c)に示すように、操作ボタン４の後被係止部４ｇがそれまでの上下動用切欠部５ｍの真上部分からカバー体５の上面後係止部５ｇとの対向域に移動して、当該後被係止部の凸状部分４ｈが当該上面前係止部の係止作用部分５ｈに係止される。
【００３５】
図２の作動不能モード位置へ回動された操作ボタン４は、少なくともこの凸状部分４ｈに対する上面後係止部５ｇ（係止作用部分５ｈ）の係止作用により当該位置へ保持されるので、ゲートバネ６の弾性力によって不意に静止モード位置へ戻るようなことはない。
【００３６】
この作動不能モード位置の操作ボタン４を利用者が押し下げて内容物噴射状態（作動モード）にしようとしても、当該操作ボタンの一部である前被係止部４ｅおよび後被係止部４ｇはそれぞれカバー体５の上面前係止部５ｆおよび上面後係止部５ｇにいわば載せられた状態になっているので、操作ボタン４が作動モード位置へと下方向に移動することはない。
【００３７】
なお、操作ボタン４の各凸状部分４ｆ，４ｈが図１の静止モード位置から図２の作動不能モード位置に移動しやすいように、カバー体５の上面前係止部５ｆおよび上面後係止部５ｇの（当該凸状部分側の）周方向開始部分はテーパ面状に形成されている。
【００３８】
図２の作動不能モード位置の操作ボタン４を図１の静止モード位置に復帰させるには、利用者が、操作ボタン４のリブ状片部４ｄをＢ方向（Ａ方向とは逆方向）に積極的に回動すればよい。
【００３９】
この回動操作にともない、操作ボタン４の凸状部分４ｈに対するカバー体５の上面後係止部５ｇ（係止作用部分５ｈ）の係止作用が解除され、操作ボタン４はゲートバネ６の弾性作用もあいまって図１の初期状態に復帰する。
【００４０】
なお、操作ボタン４の凸状部分４ｈが図２の作動不能モード位置から図１の静止モード対応位置に移動できるように、カバー体５の係止作用部分５ｈの図示下側の周方向端部はテーパ面状に形成されている。
【００４１】
図３は、ガス抜きモード（連続作動モード）の設定状態、すなわち操作ボタンを作動モード対応位置にロックした状態である。
【００４２】
このガス抜きモードの設定に際しては、利用者が、図１の静止モードの操作ボタン４の天面部分４ｃを作動モード位置まで押下げてから、そのリブ状片部４ｄをゲートバネ６の弾性力に抗する形で図示Ｂ方向に回動すればよい。
【００４３】
この天面部分４ｃの押下げ操作およびこれに続くリブ状片部４ｄのＢ方向への回動操作にともなって、
(51)図３(b)に示すように、操作ボタン４の前被係止部４ｅがカバー体５の下面前係止部５ｊとの対向域に移動して、当該前被係止部４ｅの上面部分（凸状部分４ｆとは反対側の部分）が当該下面前係止部５ｊの周方向端部の下方への突状部分に係止され、
(52)かつ図３(c)に示すように、操作ボタン４の後被係止部４ｇがカバー体５の下面後係止部５ｋとの対向域に移動して、当該後被係止部４ｇの上面部分（凸状部分４ｈとは反対側の部分）が当該下面後係止部５ｋに係止される。
【００４４】
なお、操作ボタン４の前被係止部４ｅおよび後被係止部４ｇが図１の静止モード位置から図３のガス抜きモード位置に移動できるように、カバー体５の下面前係止部５ｊおよび下面後係止部５ｋのいわば始まり部分はそれぞれテーパ面状に形成されている。
【００４５】
図３のガス抜きモードにおける操作ボタン４の前被係止部４ｅおよび後被係止部４ｇは、図２の作動不能モードとは異なり、当該被係止部のいずれもがカバー体５の下面前係止部５ｊおよび下面後係止部５ｋにロックされていない。
【００４６】
しかしながらこのガス抜きモードの場合、押下げられた状態の操作ボタン４がステム付勢用の周知のコイルスプリング（図示省略）の弾性作用により上方向に強く付勢されている。
【００４７】
そのため、利用者が、操作ボタン４を押し下げて図示Ｂ方向に回動することにより図３の状態に設定してからこの一連の操作をやめた後（当該操作ボタンから手を離した後）も、操作ボタン４の前被係止部４ｅおよび後被係止部４ｇは、図２の作動不能モードとは異なって図示のガス抜きモード位置に保持される。
【００４８】
すなわち、上記コイルスプリングの強い弾性力により、操作ボタン４の前被係止部４ｅおよび後被係止部４ｇがカバー体５の下面前係止部５ｊおよび下面後係止部５ｋと当接して、この当接部分に強い摩擦作用が生じるので、図３のガス抜きモード位置の操作ボタン４がゲートバネ６の弾性作用で図１の周方向初期状態に回動復帰することはない。
【００４９】
このように図３のガス抜きモードの場合、操作ボタン４が上下方向の作動モード対応位置にいわば自己保持されることになるので、ステム３の弁作用部が開状態となって残留ガスなどが連続噴射される。このときの噴射経路は作動モードのそれと同じである。
【００５０】
噴射された残留ガスなどは起立部５ｅに一旦衝突してから外部空間に放出され、広範囲に拡散しないので、当該残留ガスなどの可燃性成分が静電気による火花やライターの裸火などにより引火する危険性を低減する。
【００５１】
図３のガス抜きモードを解除する場合には、利用者が、操作ボタン４のリブ状片部４ｄを図示Ａ方向に回動操作して、前被係止部４ｅおよび後被係止部４ｇのそれぞれがカバー体５の上下動用切欠部５ｍの位置となるまで操作ボタン４を動かせばよい。
【００５２】
この上下動用切欠部５ｍまで回動した操作ボタン４はステム付勢用の上記コイルスプリングの作用で上方向に移動して、図１の静止モード位置へと自動復帰する。
【００５３】
本発明が、図示の内容物噴射操作機構に限定されないことは勿論であって例えば、
(61)ゲートバネ６の材質に、操作ボタン４，カバー体５の材質より変形しやすいエラストマーやその他のプラスチックなどを用いて、当該ゲートバネを操作ボタン４，カバー体５と二色成形で一体化（一体成形）する、
(62)操作ボタン４の天面部分４ｃに回動操作部を設ける、
(63)図２(b)の作動不能モード位置の前被係止部４ｅに対するロック作用部を、カバー体５の係止作用部分５ｈに代えて、またはこれとともに形成する、
(64)図３(b)，(c)のガス抜きモード位置の前被係止部４ｅ，後被係止部４ｇに対するロック作用部や、これら被係止部の周方向中央に別途形成した凸状部分などに対するロック作用部を、カバー体５の下面前係止部５ｊや下面後係止部５ｋなどに段部や凹部として形成する、
ようにしてもよい。
【００５４】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５５】
容器本体に収納する内容物は、例えば、粉状物，油成分，アルコール類，界面活性剤，高分子化合物，各用途に応じた有効成分などである。
【００５６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５８】
アルコール類としては、エタノールなどの１価の低級アルコール，ラウリルアルコールなどの１価の高級アルコール，エチレングリコールなどの多価アルコールなどを用いる。
【００５９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６０】
高分子化合物としては、メチルセルロース，ゼラチン，デンプン，カゼインなどを用いる。
【００６１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６２】
さらに、上記内容物以外の、懸濁剤，紫外線吸収剤，乳化剤，保湿剤，酸化防止剤、金属イオン封鎖剤なども用いることができる。
【００６３】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６４】
１：エアゾール式製品の容器本体
２：マウンティングキャップ
２ａ：アンダーカット部分
３：ステム
４：操作ボタン
４ａ：上下方向空間域
４ｂ：内容物噴射用の孔部
４ｃ：天面部分
４ｄ：縦長のリブ状片部
４ｅ：保持作動用の前被係止部
４ｆ：凸状部分
４ｇ：保持（ロック）作動用の後被係止部
４ｈ：凸状部分
５：カバー体
５ａ：前切欠部
５ｂ：前テラス状部分
５ｃ：後切欠部
５ｄ：後テラス状部分
５ｅ：一対の起立部
５ｆ：上面前係止部
５ｇ：上面後係止部
５ｈ：係止作用部分
５ｊ：下面前係止部
５ｋ：下面後係止部
５ｍ：上下動用切欠部
６：三角波状のゲートバネ
Ａ：作動不能モードを設定する場合の操作ボタン回動方向
Ｂ：ガス抜きモード（連続作動モード）を設定する場合の操作ボタン回動方向
【図１】
2010208688.tif 000003
【図２】
2010208688.tif 000004
【図３】
2010208688.tif 000005